(57)【要約】  【課題】  電線を全周にわたってカメラで撮影でき、電線の異常を容易に点検できる簡易構造の電線検査装置を提供すること。  【解決手段】  絶縁操作棒Ｐの上端部に固定する枠体２に電線Ｌ上を転動可能なローラ３を設けると共に、揺動機構５を介してＣＣＤカメラ４を取り付けて電線検査装置１を構成する。揺動機構５は、枠体２ｃに固定したガイド板６にき電線Ｌを中心に円弧状に複数のガイドピン７を突設する。ガイドピン７にこれを貫通させる円弧状の長孔８ａを設けた揺動板８を支持させる。揺動板８には長孔８ａと同心円上の円弧状の咬合歯列８ｂを設ける。咬合歯列８ｂには枠体２に支持されたモータ１０駆動の歯車９を咬み合わせる。揺動板８には両端部にき電線Ｌを両側から撮影する一対のＣＣＤカメラ４，４を固定したアームバー１２を設ける。歯車９で揺動板８を所定の回転角度往復動させながら、ＣＣＤカメラ４，４でき電線Ｌ外周を撮影する。【選択図】    図１
2005094935.tif 000002
【特許請求の範囲】
【請求項１】
電線近傍の高さ位置に支持するための支持体上に固定される枠体と、
この枠体に対して電線周りに揺動駆動する揺動機構と、
この揺動機構に取り付けられて前記電線外周を撮影するカメラとを具備し、
前記カメラを電線外周を電線周りに所定の回転角度往復動しながら撮影し、撮影画像から電線の異常を確認できることを特徴とする電線検査装置。
【請求項２】
前記カメラは、相互間に電線を配置するように相対向して一対設けられ、電線外周を両側から撮影可能であることを特徴とする請求項１に記載の電線検査装置。
【請求項３】
前記枠体は電線上を転動可能な前後一対のローラで支持され、電線上を前記支持体と共に移動できることを特徴とする請求項１又は２に記載の電線検査装置。
【請求項４】
前記揺動機構は、前記枠体に電線を中心に円弧状に複数固定されて電線延線方向に突出したガイドピンと、
このガイドピンを取り囲みさらに延長した円弧状の長孔を有し、ガイドピンに沿って長孔の範囲で所定の回転角度往復移動自在に前記枠体に支持され、かつ電線を中心に円弧状の咬合歯列を有し、前記カメラが固定される揺動板と、
この咬合歯列に咬み合う位置に枠体に軸支され、モータ駆動により所定の回転角度往復駆動される歯車とを具備することを特徴とする請求項１から３の何れかに記載の電線検査装置。
【発明の詳細な説明】
【技術分野】
【０００１】
本発明は、き電線、吊架線などの電線の素線切れ等の異常を見つけ出すための電線検査装置に関するものである。
【背景技術】
【０００２】
一般に、電線の点検は、地上から直接又は双眼鏡を使って目視により行っている。また、き電線の異常はその接続部分に集中して発生することが多く、接続部分に温度表示ラベルを貼り付けて異常時の高温状態を確認することが行われている。さらに従来、腐食診断装置を搭載した自走機を電線上に移動させて点検する電線検査装置が知られている（特許文献１参照）。この電線検査装置は、電線上をモータ駆動により走行する車輪付きのケースと、ケースに搭載した電線撮影用のカメラと、モータ及びカメラを無線制御するコントローラと、電源とを備えている。カメラは、ケース内に上向きに一台固定されており、ケースの上部に二つのミラーを電線を異なる角度から映し込むように設け、一台のカメラで電線を異なる三方の位置から撮影できるようにしている。
【特許文献１】特開平１０−１９１５１７号公報
【発明の開示】
【発明が解決しようとする課題】
【０００３】
上記従来の電線検査装置においては、目視による場合、電線を下から見上げた姿勢での作業を長時間にわたって継続しなければならず、肉体的な作業負担が大きいし、電線周囲全体を点検することができない。自走機を電線上に移動させる場合は、自走機自体が大型のため、電線に設置するのに吊り上げ機を準備しなければならないし、電線に付属する金具等が走行の妨げになる箇所ではその都度吊り上げ機により載せ代えを行わなければならず、作業性が悪い。また、自走機が大型になり装置全体の小型軽量化を妨げるし、電線上に簡易に設置して素早く検査することができず、簡易な使用や緊急の使用に適さない。
【課題を解決するための手段】
【０００４】
上記課題を解決するため、第１の発明においては、電線近傍の高さ位置に支持するための絶縁操作棒Ｐのような支持体上に固定される枠体２に対して電線Ｌ周りに揺動駆動する揺動機構５を設け、この揺動機構５に電線Ｌの外周を撮影するカメラ４を取り付けた。カメラ４を電線Ｌ周りに所定の回転角度往復動させながら撮影し、電線Ｌの外周を死角なく撮影してこの撮影画像から電線Ｌの異常を発見できる。
第２の発明においては、相互間に電線Ｌを配置するように相対向させて一対のカメラ４，４を設けて、電線Ｌの外周を両側から撮影できるようにした。
第３の発明においては、枠体２を電線上を転動可能な前後一対のローラ３，３で支持し、電線Ｌ上を支持体と共に移動できるようにした。
第４の発明においては、揺動機構５は、枠体２にガイドピン７を電線Ｌを中心に円弧状に複数配置して電線延線方向に突設し、このガイドピン７を取り囲みさらに延長した円弧状の長孔８ａを揺動板８に設け、この揺動板８をガイドピン７列に沿って長孔８ａの範囲で所定の回転角度往復移動自在に枠体２に支持した。揺動板８には電線Ｌを中心に円弧状の咬合歯列８ｂを設け、枠体２に歯車９を軸支して咬合歯列８ｂに咬み合わせ、揺動板８に固定したカメラ４をモータ１０の駆動により所定の回転角度往復駆動させるようにした。
【発明の効果】
【０００５】
本発明においては、見落としなく電線の全周にわたって楽に点検作業を行え、点検の作業負担を軽減でき、また小型で軽量な構造にして、自走機のみならず、絶縁操作棒などの簡易な支持体に設けることができ、電線上に容易に設置することができる。電線に沿って移動させながらカメラで撮影しても、電線途上の付属金具類を容易に回避することができ、点検作業を比較的容易に継続することができる一方、電線の部分的な点検を簡易的に行うことができるので、短い区間や緊急時の点検にも使い勝手がよい。
【発明を実施するための最良の形態】
【０００６】
図面を参照して本発明の実施の一形態を説明する。
図において、電線検査装置１は、支持体である絶縁操作棒Ｐの上端部に固定される枠体２を備えている。枠体２は、絶縁操作棒Ｐが挿入され抜け止めして固定され、上方に伸びた主幹部２ａと、主幹部２ａの上部から前後方向に伸びたローラ支持部２ｂと、主幹部部２ａの下部から前方に延出して縦方向に伸びた略Ｌ字状のカメラ取付部２ｃとを有する。
【０００７】
ローラ支持部２ｂにはローラ３が前後位置に対向して一対軸支されており、電線Ｌ上を転動可能に回転自在に片持ち支持されている。ローラ３の外周には電線を受け入れるための断面円弧状溝３ａを有する。
【０００８】
カメラ取付部２ｃには、揺動機構５を介してＣＣＤカメラ４が取り付けられている。揺動機構５には、き電線Ｌの延線方向に対して直交する状態でカメラ取付部２ｃに固定されたガイド板６を備えている。ガイド板６には円弧状に配置された複数のガイドピン７が前方に向かって突設されている。ガイドピン７には揺動板８がガイド板６と平行に対面して面方向に所定の回転角度往復動自在に支持されている。揺動板８にはガイドピン７の位置に対応してこれらを取り囲み、さらにガイドピン７を相対移動させるように延長した円弧状の長孔８ａを有する。揺動板８の上縁は長孔８ａと同心円上の円弧状を成し、咬合歯列８ｂが形成されている。この揺動板８にはカメラ取付部２ｃに固定された支持片１１に支持された歯車９が臨んでおり、この歯車９が咬合歯列８ｂに咬み合っている。歯車９には、取付板１１に固定されたモータ１０の軸が結合している。モータ１０は歯車９を所定の回転角度往復駆動する。揺動板８には、横方向にアームバー１２が固定されている。アームバー１２の両端部には、き電線Ｌを挟んで対向する一対のＣＣＤカメラ４，４が固定されている。
【０００９】
枠体２の主幹部２ａの側部には電源付き送信機１３が固定されており、ＣＣＤカメラ４，４に電気的に接続されており、撮像データを遠隔位置に送信できる。
【００１０】
この電線検査装置１においては、絶縁操作棒Ｐの先端部に枠体２を固定して使用する。検査対象となるき電線Ｌの所定位置で絶縁操作棒Ｐを掲げ持ってローラ３，３を電線Ｌ上に載せ置く。電源を入れてＣＣＤカメラ４，４を起動させると共にモータ１０を往復反転させる。揺動機構５においては、モータ１０により歯車９を回転駆動し、これに咬み合う揺動板８がガイドピン７及び長孔８ａによって円滑に円弧状の軌道を往復移動するので、ＣＣＤカメラ４，４が電線周りを所定の回転角度で往復移動する。ＣＣＤカメラ４，４は夫々電線のほぼ片側半部ずつを撮影しながら回転し、死角なく電線外周全体を撮影する。絶縁操作棒Ｐに取り付けた電線検査装置１は電線の所要箇所に設置してその場でカメラ撮影できるが、必要に応じてローラ３，３を転動させて電線Ｌ上を移動させることができ、き電線線Ｌを延線方向に連続して撮影することもできる。取り込んだ撮像データは、送信機１３を通じて遠隔の管理者に送られ、電線の素線切れ等の異常を確認することができる。
なお、本実施形態では電線検査装置１を電線近傍の高さ位置に支持する支持体として絶縁操作棒Ｐに適用したが、き電線Ｌ上を走行する自走機に取り付けることもできる。
【産業上の利用可能性】
【００１１】
本発明の電線検査装置は、き電線、吊架線などの電線の外周をカメラで撮影して素線切れ等の電線の異常を見つけだすのに用いられる。
【図面の簡単な説明】
【００１２】
【図１】本発明に係る電線検査装置の斜視図である。
【図２】電線検査装置の正面図である。
【図３】電線検査装置の側面図である。
【図４】電線検査装置の平面図である。
【符号の説明】
【００１３】
１    電線検査装置
２    枠体
３    ローラ
４    ＣＣＤカメラ
５    揺動機構
７    ガイドピン
８    揺動板
８ａ  長孔
８ｂ  咬合歯
９    歯車
１０    モータ
１２    アームバー
１３    送信機
Ｐ    絶縁操作棒
Ｌ    き電線
【図１】
2005094935.tif 000003
【図２】
2005094935.tif 000004
【図３】
2005094935.tif 000005
【図４】
2005094935.tif 000006